(57)【要約】  【課題】  移動無線システムにおいて、経済的な情報収集を可能にする技術の提供。  【解決手段】  監視情報の収集のための呼接続を行わず、周期的位置登録要求メッセージの中にＧＰＳ位置情報と外部監視情報を付加し、無線の通信チャネルは使わず、制御チャネルを用いて外部監視情報を周期的に送信する。【選択図】  図６
2005086678.tif 000002
【特許請求の範囲】
【請求項１】
移動局相互間または移動局と通信指令台との間の通信が可能な移動無線システムにおける監視情報収集方法であって、
待受け中の移動局が、周期的位置登録要求のメッセージの電文中に移動局の登録番号の他にＧＰＳ位置情報及び監視情報を付加し、該付加したメッセージを制御チャネルにより、当該移動局が在圏する基地局経由で、通信リンクの交換制御を行う回線制御装置、システムを管理する管理監視制御装置、または、監視情報を記録する外部監視情報記録装置に送信し、上記メッセージを受信した上記管理監視制御装置または上記外部監視情報記録装置が監視位置と監視情報を表示することを特徴とする監視情報収集方法。
【発明の詳細な説明】
【技術分野】
【０００１】
本発明は、複数の移動局相互間または移動局と通信指令台との間で通信を行う移動無線システムに関する。
【背景技術】
【０００２】
本発明に関連する技術としては、ＡＲＩＢ  ＳＴＤ−Ｔ６１  １．０版  「狭帯域デジタル通信方式  標準規格」（平成１１年  社団法人  電波産業会）（非特許文献１）に規定されたものがあり、該技術は既に実用化されている。実用化されている移動無線システムとは、通信指令を行う通信指令台、通信回線の交換接続制御を行う回線制御装置、該回線制御装置の制御の基に移動局無線装置の無線通信制御とサービスエリアの維持を行う１つあるいは複数の基地局無線装置と、この基地局無線装置を介して、通信指令台と無線通信を行う複数の移動局無線装置、システム全体の管理を行う管理監視制御装置、及び種々のアプリケーションに応じて設置される各種制御局装置から構成されるデジタル移動無線システムが知られている。なお、回線制御装置及び管理監視制御装置も通常は制御局に設置される。
【０００３】
このようなデジタル移動無線システム（アナログ移動無線システムでも同様）において、移動局無線装置は、無線の制御チャネルを使って、基地局無線装置経由回線制御装置に対して当該移動局無線装置が当該基地局無線装置のサービスエリアに在圏していることを示す位置登録要求を送信し、回線制御装置及び管理監視制御装置は、当該移動局無線装置が在圏するサービスエリアを基地局無線装置番号で登録する。この移動局無線装置番号と当該移動局無線装置が在圏する基地局無線装置番号の対応はいわゆる位置登録情報と呼ばれ、移動局無線装置を呼出す際の情報として使われる。
【０００４】
上記技術においては、位置登録情報は、呼接続処理において呼出し先の移動局無線装置が在圏する基地局無線装置をアクセスするための情報として使用されるのみで、他には利用されない。また、移動局無線装置と制御局との間で各種データの送受を行う場合は、移動局無線装置とデータ伝送用制御局装置との間の回線交換接続を行い、無線の通信チャネルを使用してデータ伝送する。従って、各移動局無線装置から、移動局周辺の温湿度データ、晴雨等の外部監視情報を収集する場合も、データ伝送用制御局装置から移動局無線装置を呼出した後、移動局無線装置から無線の通信チャネルを使って外部監視情報をデータ伝送用制御局装置に送信するようにしている。
【０００５】
【非特許文献１】ＡＲＩＢ  ＳＴＤ−Ｔ６１  １．０版  「狭帯域デジタル通信方式  標準規格」（平成１１年  社団法人  電波産業会）
【発明の開示】
【発明が解決しようとする課題】
【０００６】
上記背景技術では、（１）移動局無線装置から当該移動局周辺の外部監視情報を収集する場合、データ伝送用制御局装置と当該移動局装置間の回線交換接続が必要であるため、対象移動局数と情報収集頻度に従って、回線制御装置の中央処理装置の呼処理負荷が増大する。また、（２）無線の通信チャネルを使用して、外部監視情報のデータ伝送を行うため、対象移動局数と情報収集頻度に従って、無線の通信チャネルのトラフィックが増大する。
本発明の課題点は、上記背景技術の状況に鑑み、移動無線システムにおいて、移動局の外部監視情報を収集する際に、回線制御装置の中央処理装置の呼処理負荷の増大を抑え、かつ、無線の通信チャネルのトラフィックの増大を防止できるようにすることである。
本発明の目的は、上記課題点を解決し、経済的な情報収集を可能にする技術の提供にある。
【課題を解決するための手段】
【０００７】
上記課題点を解決するために、本発明では、データ伝送用制御局装置と移動局無線装置間の回線交換接続は行わずに、移動局無線装置が無線の制御チャネルを使って周期的に基地局無線装置に送信する位置登録要求メッセージの電文に、ＧＰＳ位置情報と外部監視情報を付加し、該ＧＰＳ位置情報と外部監視情報を、回線交換接続は行わずに、かつ、通信チャネルを使わず制御チャネルを使って、制御局装置に伝送する。
【発明の効果】
【０００８】
本発明によれば、回線制御装置の中央処理装置における呼処理負荷の増大を抑えられ、かつ、無線の通信チャネルのトラフィック増大を抑えられる。このため、移動無線システムにおける監視情報収集を経済的に行うことができる。
【発明を実施するための最良の形態】
【０００９】
以下、本発明を実施するための最良の形態につき、図面を用いて説明する。
図１〜図９は、本発明の実施形態の説明図である。図１〜図５は、本発明の最良の実施形態の予備的説明図であって、図１はデジタル移動無線システムの構成例図、図２は、図１の構成における移動局、基地局、制御局間の位置登録要求の送受信シーケンスを示す図、図３は、同じく図１の構成における移動局から基地局に送信する位置登録要求メッセージ例を示す図、図４は、同じく基地局から制御局に送信する位置登録要求メッセージ例を示す図、図５は、同じく図１の構成におけるデータ伝送用制御局装置と移動局無線装置との間を通信チャネルで接続した場合の説明図である。図６〜図９は、本発明の最良の実施形態を示す図であって、図６はデジタル移動無線システムの構成例図、図７は、図６の構成における移動局、基地局、制御局間の位置登録要求の送受信シーケンスを示す図、図８は、同じく図６の構成における移動局から基地局に送信する位置登録要求メッセージ例（位置登録要求メッセージＡ）を示す図、図９は、同じく基地局から制御局に送信する位置登録要求メッセージ例（位置登録要求メッセージＡ）を示す図である。
【００１０】
図１において、１０１〜１０５はそれぞれ移動局無線装置、２０１〜２０３はそれぞれ基地局無線装置、３００は、通信リンクの交換制御を行う回線制御装置、３０１は、システムを管理する管理監視制御装置、４０１は通信指令台、００１〜００５はそれぞれ、各移動局無線装置１０１〜１０５と対応し、温湿度データ、晴雨等の外部監視情報を収集する外部監視情報収集端末、５０１はデータ伝送用制御局装置である。移動局無線装置１０１、１０２は、点線で示すように基地局無線装置２０１に位置登録されており、基地局無線装置２０１の基地局ゾーンに在圏しているとする。同様に、移動局無線装置１０３は基地局無線装置２０２の基地局ゾーンに在圏し、移動局無線装置１０４、１０５は基地局無線装置２０３の基地局ゾーンに在圏しているとする。外部監視情報収集端末００１〜００５と移動局無線装置１０１〜１０５は移動局を構成し、基地局無線装置２０１〜２０３は基地局を構成し、回線制御装置３００と管理監視制御装置３０１は制御局を構成する。
【００１１】
上記構成において、移動局（外部監視情報収集端末００１〜００５、移動局無線装置１０１〜１０５）からの位置登録要求は、制御チャネルにより、基地局を経て制御局側に送信される。制御局ではこれに基づき位置登録応答を生成する。該位置登録応答は、制御チャネルにより、基地局を経て移動局側に送信される（図２）。移動局から基地局に送信される位置登録要求のメッセージ内容は、例えば、位置登録要求であることを示すメッセージ種別、移動局の登録番号、移動局番号である（図３）。また、基地局から制御局側に送信される位置登録要求のメッセージ内容は、例えば、プロトコル識別子、呼番号、位置登録要求であることを示すメッセージ種別、固定シフト、移動局の登録番号、基地局を示す網（ネットワーク）番号、移動局番号であって、基地局において新たに、プロトコル識別子、呼番号、固定シフト、網番号が加えられる（図４）。制御局では、基地局からの該内容の位置登録情報を受信して、回線制御装置３００と管理監視制御装置３０１が、当該移動局が在圏する基地局を「移動局位置登録テーブル」に記録登録する。該記録登録の結果は、上記位置登録応答として、基地局を介して移動局に送信される。該「移動局位置登録テーブル」は、接続要求がある毎に、接続先の移動局がどの基地局サービスエリアに在圏しているかを索引するために使用される。上記技術はＡＲＩＢ標準規格にも記載されている。
【００１２】
移動局無線装置１０１〜１０５及び外部監視情報収集端末００１〜００５から、温湿度データ、晴雨等の外部監視情報を収集する場合、図５の２点鎖線に示すように、データ伝送用制御局装置５０１から、回線制御装置３００を介して、例えば対象の移動局無線装置１０１を呼出し、外部監視情報収集端末００１と該データ伝送用制御局装置５０１との間で通信チャネルを使用してデータ通信を行う。これにより、データ伝送用制御局装置５０１が上記外部監視情報を受信する。移動局無線装置１０２〜１０５及び外部監視情報収集端末００２〜００５から、外部監視情報を収集する場合も同様である。
以上のように、図１〜図５の構成においては、通信チャネルでの呼接続を伴うため、回線制御装置の呼処理負荷の増大と、無線の通信チャネルのトラフィックの増大を招く。
上記点を改善可能な本発明の最良の実施形態を、図６〜図９を用いて説明する。
【００１３】
図６は、本発明の最良の実施形態としてのデジタル移動無線システムの構成例図である。
図６において、５０２は、監視情報を記録かつ表示する外部監視情報記録装置である。本実施形態では、上記図１の構成におけるデータ伝送用制御局装置５０１は備えていない。他の部分の構成は、上記図１の場合と同様である。
上記構成において、移動局（外部監視情報収集端末００１〜００５、移動局無線装置１０１〜１０５）からの位置登録要求（位置登録要求Ａ）は、制御チャネルにより、基地局（基地局無線装置２０１〜２０３）に送信され、さらに該基地局から制御局（回線制御装置３００、管理監視制御装置３０１）側に送信される。該制御局ではこれに基づき位置登録応答を生成し、該位置登録応答は、制御チャネルにより、基地局を経て移動局側に送信される（図７）。移動局から制御チャネルにより基地局に送信される位置登録要求（位置登録要求Ａ）のメッセージ内容は、例えば、上記図３の場合における、位置登録要求であることを示すメッセージ種別、移動局の登録番号及び移動局番号に加え、移動局の位置を示すＧＰＳ位置情報及び、移動局において外部監視情報収集端末００１〜００５が収集した温湿度データ、晴雨等の外部監視情報を含む情報である（図８）。また、基地局から制御チャネルにより制御局側に送信される位置登録要求のメッセージ内容は、例えば、上記図４の場合における、プロトコル識別子、呼番号、位置登録要求であることを示すメッセージ種別、固定シフト、移動局の登録番号、基地局を示す網（ネットワーク）番号及び移動局番号に加え、上記ＧＰＳ位置情報及び上記外部監視情報を含む情報であって、上記図４の場合と同様、基地局において新たに、上記プロトコル識別子、呼番号、固定シフト、網番号が加えられる（図９）。制御局では、基地局からの該内容の位置登録情報を受信して、回線制御装置３００と管理監視制御装置３０１が、当該移動局が在圏する基地局を「移動局位置登録テーブル」に記録登録するとともに、上記ＧＰＳ位置情報や上記外部監視情報を外部監視情報記録装置５０２側に出力する。外部監視情報記録装置５０２では、該監視情報を、ＧＰＳ位置情報と併せて記録かつ表示する。また、制御局では、上記記録登録の結果を、上記位置登録応答として、基地局を介して移動局側に送信する。
【００１４】
以上のように、図６〜図９の本発明の実施形態においては、移動局無線装置１０１〜１０５及び外部監視情報収集端末００１〜００５から、温湿度データ、晴雨等の外部監視情報を収集する場合、収集した外部監視情報を位置登録要求に含ませ、制御チャネルにより送信するため、図５のようにデータ伝送用制御局装置５０１から回線制御装置３００を介して対象とする移動局無線装置を呼出す必要がない。従って、通信チャネルでの呼接続を伴わないし、回線制御装置の呼処理負荷の増大も抑えられるし、無線の通信チャネルのトラフィック増大も抑えられる。このため、移動無線システムにおける監視情報収集を経済的に行うことができるようになる。
【００１５】
なお、上記実施形態では、外部監視情報を移動局周辺の温湿度データや晴雨情報等としたが、本発明はこれに限定されず、位置や時間で変化する他のデータであってもよい。また、上記実施形態では、外部監視情報の記録及び表示のために、専用の外部監視情報記録装置５０２を設けているが、記録や表示を管理監視制御装置に行わせるようにしてもよい。
【図面の簡単な説明】
【００１６】
【図１】本発明の最良の実施形態の予備的説明図であってデジタル移動無線システムの構成例を示す図である。
【図２】図１の構成における移動局、基地局、制御局間の位置登録要求の送受信シーケンスを示す図である。
【図３】図１の構成における移動局から基地局に送信する位置登録要求メッセージ例を示す図である。
【図４】図１の構成における基地局から制御局に送信する位置登録要求メッセージ例を示す図である。
【図５】図１の構成におけるデータ伝送用制御局装置と移動局無線装置との間を通信チャネルで接続した場合の説明図である。
【図６】本発明の最良の実施形態としてのデジタル移動無線システムの構成例を示す図である。
【図７】図６の構成における移動局、基地局、制御局間の位置登録要求の送受信シーケンスを示す図である。
【図８】図６の構成における移動局から基地局に送信する位置登録要求メッセージ例を示す図である。
【図９】基地局から制御局に送信する位置登録要求メッセージ例を示す図である。
【符号の説明】
【００１７】
１０１、１０２、１０３、１０４、１０５…移動局無線装置、
００１、００２、００３、００４、００５…外部監視情報収集端末、
２０１、２０２、２０３…基地局無線装置、
３００…回線制御装置、
３０１…管理監視制御装置、
４０１…通信指令台、
５０１…データ伝送用制御局装置、
５０２…外部監視情報記録装置。
【図１】
2005086678.tif 000003
【図２】
2005086678.tif 000004
【図３】
2005086678.tif 000005
【図４】
2005086678.tif 000006
【図５】
2005086678.tif 000007
【図６】
2005086678.tif 000008
【図７】
2005086678.tif 000009
【図８】
2005086678.tif 000010
【図９】
2005086678.tif 000011